(57)【要約】【課題】磁力によって陥入爪を矯正し、紛失を防止すると共に容易に足指に装着できる陥入爪矯正具を提供する。【解決手段】陥入爪矯正用装着具１０は、指サック１１に母趾Ａを挿入する方向と直交するように矩形状の磁石を含む板状体１２が取り付けられている。陥入爪Ｂの裏側に磁石体を含むゲル状の装着保持材２０を挿入し、母趾Ａに陥入爪矯正用装着具１０を装着すると、健康時の爪甲Ｂの断面に沿う形状になっている板状体１２と装着具保持材２０とが磁力により吸引し合うことで、板状体１２と装着具保持材２０とで挟まれた陥入爪Ｂは、爪甲の側縁が内側に巻き込むように屈曲した形状から健康時の形状へなるように圧力が加わる。この圧力により陥入爪Ｂが矯正されることで、徐々に健康時の形状に湾曲してゆく。【選択図】図１
2015181656.tif 000002
【特許請求の範囲】
【請求項１】
陥入爪のある指先に装着する指袋体に矩形状の板状体を取り付けた陥入爪矯正用装着具と、前記陥入爪の爪甲の裏面に塗布又は嵌め込む装着具保持材とから成る陥入爪矯正具であって、
前記板状体と装着具保持材は、一方が磁石体を含み他方が磁性体を含むもの、又は両方が磁石体を含むものから構成することを特徴とする陥入爪矯正具。
【請求項２】
前記板状体は前記指袋体の指先の表面又は裏面に前記指袋体の母趾への挿入方向と直交するように配置したことを特徴とする請求項１に記載の陥入爪矯正具。
【請求項３】
前記板状体が磁石体を含むものである場合は、形状記憶部材又は超弾性部材の材料、弾性を有する非磁性体金属、合成樹脂の何れか１つに磁性体の粉末を混合し、混合した磁性体を着磁させて磁石体にしたことを特徴とする請求項１又は２に記載の陥入爪矯正具。
【請求項４】
前記板状体は形状記憶部材又は超弾性部材から成る第１の層と、磁石体又は磁性体を含む第２の層とから成ることを特徴とする請求項１〜３の何れか１項に記載の陥入爪矯正具。
【請求項５】
前記装着具保持材はゲル状基材に磁性体の粉末を混合したもの、又は湾曲自在のシート状基材に磁石体又は磁性体を混合したものであることを特徴とする請求項１〜４の何れか１項に記載の陥入爪矯正具。
【請求項６】
前記ゲル状基材は薬用成分を有することを特徴とする請求項５に記載の陥入爪矯正具。
【請求項７】
前記指袋体は足袋体の一部であることを特徴とする請求項１〜５の何れか１項に記載の陥入爪矯正具。
【発明の詳細な説明】
【技術分野】
【０００１】
本発明は、陥入爪を有する足指に装着して、陥入爪を矯正する陥入爪矯正具に関するものである。
【背景技術】
【０００２】
陥入爪は爪甲の側縁が足指の内側に巻き込むように屈曲して、爪溝や側爪郭に喰い込み、足指の軟質組織を圧迫して疼痛を発生させる疾患である。その防止治具として、特許文献１には陥入爪矯正具及び陥入爪矯正具保持材が開示されている。
【０００３】
図５に示すように、特許文献１に開示している矯正用板状体１は、磁性粉末を混合したゲル状基材から成り爪甲の裏面に塗付する矯正具保持材２と共働して、母趾Ａの陥入爪Ｂを矯正するものである。矯正用板状体１は磁石を含む形状記憶部材又は磁石を含む超弾性部材から成り、接着剤により爪甲の表面に貼着する長片状とされている。
【０００４】
陥入爪Ｂを介して、矯正具保持材２に含まれる磁性体と、矯正用板状体１に含まれる磁石とが磁力により吸引し合うことで、爪甲の表面から矯正用板状体１が剥がれ落ちることがなくなる。そして、陥入爪Ｂの縁部は、矯正用板状体１及び矯正具保持材２により、陥入爪Ｂがその屈曲形状とは逆方向に反るように力が加えられるので、陥入爪Ｂが偏平となるように矯正されてゆく。
【０００５】
特許文献２には、形状記憶合金又は形状記憶樹脂材を使用した矯正用板状体が開示されており、この矯正用板状体は母趾Ａの陥入爪Ｂの表面に接着剤を用いて貼着し、上側から全体を軽く押圧して接着剤が乾いて完全に接着されるまで保持する必要がある。
【先行技術文献】
【特許文献】
【０００６】
【特許文献１】特許第５２１１２６０号公報
【特許文献２】特開平８−２１５２２７号公報
【発明の概要】
【発明が解決しようとする課題】
【０００７】
特許文献１に開示の矯正用板状体１は、矯正具保持材２と磁力により吸引し合って、剥がれ落ちないという特徴を有する。しかし、これらの矯正用板状体１、矯正具保持材２を装着した状態で裸足等で行動していると、時間を経ると矯正具保持材２の一部が陥入爪Ｂの裏部から欠落する場合がある。このような場合には、矯正用板状体１、矯正具保持材２間の磁力による吸着力が弱まるので、矯正用板状体１が不時に爪甲から剥離してしまうことがある。
【０００８】
このような剥離を防止するために、更に矯正用板状体１を陥入爪Ｂに対して接着して使用することもあるが、時間の経過に伴って接着力が低下し、特に風呂などで足指を洗ったりすると矯正用板状体１が剥がれてしまうことがある。
【０００９】
矯正具保持材２の一部の欠落は患者が気付かないことが多いので、矯正用板状体１が剥がれ落ちるまで矯正具保持材２の欠落による不具合は分からない。矯正用板状体１が剥がれた場合は、再度、陥入爪Ｂの裏面に矯正具保持材２を塗付し直せばよいが、矯正用板状体１の大きさは幅２ｍｍ、長さ２０ｍｍ、厚さ０．５ｍｍ程度の小さいものである。従って、矯正用板状体１が剥がれ落ちてしまった場合に、何処かに紛失してしまうという問題もある。また、このような矯正用板状体１は形状記憶部材等を使用するため高価であり、紛失すると患者にとって大きな負担となる。
【００１０】
また、特許文献１、２の矯正用板状体は、使用する度に陥入爪Ｂの表面に位置決めをして貼る作業が発生し、陥入爪Ｂが時間経過と共に伸びた場合は、その都度陥入爪に対して位置決めをして張り直す必要が生ずる。
【課題を解決するための手段】
【００１１】
上記目的を達成するための本発明に係る陥入爪矯正具は、陥入爪のある指先に装着する指袋体に矩形状の板状体を取り付けた陥入爪矯正用装着具と、前記陥入爪の爪甲の裏面に塗布又は嵌め込む装着具保持材とから成る陥入爪矯正具であって、前記板状体と装着具保持材は、一方が磁石体を含み他方が磁性体を含むもの、又は両方が磁石体を含むものから構成することを特徴とする。
【発明の効果】
【００１２】
本発明に係る陥入爪矯正具によれば、陥入爪を介して陥入爪の下に配置した装着具保持材と、陥入爪上の矯正用装着具の板状体とが磁力により吸引し合うので、陥入爪の屈曲が偏平となるように矯正することができる。
【００１３】
また、陥入爪の裏面からゲル状基材等で構成される装着具保持材が脱落した場合であっても、陥入爪矯正用装着具の板状体の紛失を防止することができ、また装着の度に板状体の陥入爪に対する位置決めする必要がない。
【図面の簡単な説明】
【００１４】
【図１】実施例の陥入爪矯正具と母趾の斜視図である。
【図２】陥入爪矯正用装着具を装着した母趾の平面図である。
【図３】母趾と陥入爪の説明図である。
【図４】陥入爪に陥入爪矯正具を使用した状態の断面図である。
【図５】従来例の斜視図である。
【発明を実施するための形態】
【００１５】
本発明を図１〜図４に図示の実施例に基づいて詳細に説明する。
図１は陥入爪矯正具と母趾の斜視図であり、図２は陥入爪矯正具を装着した状態の母趾の平面図である。陥入爪矯正具は、陥入爪Ｂのある母趾Ａに装着する袋状の陥入爪矯正用装着具１０と、陥入爪Ｂの爪甲の裏面に塗布又は嵌め込む装着具保持材２０とから構成されている。
【００１６】
陥入爪矯正用装着具１０は、メッシュ状、ゴム等の指袋体である指サック１１の表面又は裏面に、母趾Ａに挿入する方向と直交するように、矩形状の板状体１２が指袋体の指先に取り付けられている。また、指サック１１は靴下等の足袋体の一部としてもよい。
【００１７】
板状体１２は母趾Ａに指サック１１を装着した際に、爪甲Ｂの先端略中央上に位置するように、指サック１１に例えば接着保持されている。なお、この接着は強力な接着剤等でなされており、更に防水対策を施してもよいが、接着以外の方法例えば縫着などで取り付けるようにしてもよい。
【００１８】
また、板状体１２は幅６ｍｍ、長さ２０ｍｍ、厚さ０．５ｍｍ程度の矩形状が好ましいが、幅が２ｍｍ程度の長片状であってもよく、陥入爪Ｂ表面の範囲内で適宜の形状、大きさのものを使用することが可能である。
【００１９】
板状体１２の材料は、フェライト磁石やネオジム系磁石等の各種磁石材料を適宜に用いることができ、マグネットシートのような湾曲自在の磁石性シート体であってもよい。
【００２０】
また、装着具保持材２０が磁石機能を有する場合には、板状体１２の材料は、磁石機能を有しない磁性体、例えば鉄、ニッケル等を用いる。
【００２１】
板状体１２を磁石体から成る第１の層と、この第１の層の上層又は下層に形状記憶部材又は超弾性部材から成る第２の層とから成る積層構造としてもよい。或いは、形状記憶部材又は超弾性部材の材料、鉛、スズ等の弾性を有する非磁性体金属、合成樹脂に対して、磁性体の粉末を混合し、混合した磁性体を着磁して磁石体にした一層構造の板状体１２とすることもできる。
【００２２】
板状体１２の長辺方向の断面形状は、爪溝や側爪郭に喰い込んでいない健康時の爪甲の断面に沿う形状になるように緩やかに湾曲している。また、陥入爪矯正用装着具１０の大きさは母趾Ａの大きさに応じて、男性用、女性用、子供用等の適宜の大きさに合わせた指サック１１、板状体１２を用いることが好適である。
【００２３】
装着具保持材２０は板状体１２と磁力により吸引し合うための保持材であり、ゲル状基材に磁性体の粉末を混合させたものを用いてもよいし、磁性体の粉末を混合して着磁したマグネットシートのような湾曲自在の磁石性シート体を用いてもよい。
【００２４】
ゲル状の装着具保持材２０の場合は、必要に応じて傷薬や抗生物質等の薬用成分を有する軟膏に、粉末状の磁性体粉２０ｂを混合させたものである。また、軟膏２０ａに時間の経由と共に粘度が高まるような成分を含有させてもよく、これにより耐久性が向上すると共に陥入爪Ｂから脱落し難くなる。
【００２５】
何れにしても、板状体１２と装着具保持材２０の少なくとも一方に磁石を配置し、他方に磁性体を配することにより、磁気的引着力が発生するようにすることが必要である。また、双方に磁石体を含むようにしてもよいが、磁石同士が反発しないように磁力の向きを調整することが必要である。
【００２６】
図３は母趾Ａと陥入爪Ｂの説明図であり、陥入爪Ｂの裏面と母趾Ａの間には陥入爪Ｂによる爪甲の変形により、間隙Ｃが生じている。図４は陥入爪Ｂに対する陥入爪矯正用装着具１０とゲル状の装着具保持材２０を使用した状態の断面図である。
【００２７】
ゲル状の装着具保持材２０を使用する場合には、装着する陥入爪矯正用装着具１０の板状体１２には磁性体を着磁した磁石体を含むものを使用する。装着する陥入爪矯正用装着具１０の板状体１２には、ゲル状の装着具保持材２０の磁性体と吸引し合うための磁石体を含む必要がある。
【００２８】
ゲル状の装着具保持材２０を間隙Ｃ内の陥入爪Ｂの裏面の全幅に渡って奥まで埋め込む。このゲル状の装着具保持材２０は入浴等で或る程度溶けて流れてしまうため、入浴後に塗り込むことが効果的である。
【００２９】
また、磁性体を着磁した磁石体を含むシート状の装着具保持材２０を使用する場合は、装着する陥入爪矯正用装着具１０の板状体１２には磁石体を含まずに磁性体を含むものを使用する。また、着磁していない磁性体を含むシート状の装着具保持材２０を使用する場合には、板状体１２には磁石体を含むものを使用する。
【００３０】
シート状の装着具保持材２０を使用する際は、間隙Ｃ内の陥入爪Ｂの裏面の全幅に渡って奥の方まで入る大きさの装着具保持材２０を用意し、間隙Ｃに押し込んで装着する。
【００３１】
装着具保持材２０を陥入爪Ｂの裏側に挿入した後に、母趾Ａに陥入爪矯正用装着具１０を装着する。装着後に健康時の爪甲Ｂの断面に沿う形状になっている板状体１２と装着具保持材２０とが磁力により吸引し合うことで、板状体１２と装着具保持材２０とで挟まれた陥入爪Ｂは、爪甲の側縁が内側に巻き込むように屈曲した形状から健康時の形状になるように、図４の矢印に示す方向に圧力が加わる。このような外側に加わる圧力により、陥入爪Ｂは徐々に健康時の形状に徐々に湾曲して矯正されてゆく。
【００３２】
更に、前述の形状記憶部材又は超弾性部材を含む板状体１２を備える陥入爪矯正用装着具１０を使用すると、常に板状体１２は健康時の爪甲の断面に沿う形状を保持しようとするため、板状体１２と装着具保持材２０とが陥入爪Ｂを介して吸引し合った場合に、板状体１２が陥入爪Ｂの形状にならって恒久変形してしまうことはない。
【００３３】
また、本実施例の陥入爪矯正用装着具１０の板状体１２は、指サック１１に既に位置決めをしてあるため、装着時に陥入爪Ｂに対する板状体１２の位置決めは不要である。また、陥入爪Ｂが伸びても、常に板状体１２は陥入爪Ｂ上の最適な所定位置に配置されることになる。
【００３４】
また、衝撃等により母趾Ａの装着具保持材２０のゲル物質である軟膏の一部が欠落して吸引力がなくなっても、指サック１１に取り付けられた板状体１２が紛失することはない。更には、指サック１１により母趾Ａを保護しているので衝撃等があっても爪縁による怪我もし難くなり痛みも緩和される。
【００３５】
また、指サック１１の上から靴下を履く際には、指サック１１の上側に設けた板状体１２により靴下に孔を空けてしまうことがある。このことを防止するため、陥入爪矯正用装着具１０をリバーシブルで使用できるようにして、指サック１１の内側に板状体１２が位置するようにして使用するようにしてもよい。更に、板状体１２は指サック１１に取り付けてあるので、風呂に入って指を洗う場合には指サック１１を外すことになるので、指を洗うことにより板状体１２が紛失することは全くない。
【符号の説明】
【００３６】
１０  陥入爪矯正用装着具
１１  指サック
１２  板状体
２０  装着具保持材
２０ａ  軟膏
２０ｂ  磁性体粉
Ａ  母趾
Ｂ  陥入爪
Ｃ  間隙
【図１】
2015181656.tif 000003
【図２】
2015181656.tif 000004
【図３】
2015181656.tif 000005
【図４】
2015181656.tif 000006
【図５】
2015181656.tif 000007